(57)【要約】【課題】一のデータベースから複数のドメインによるホームページ情報を提供することが可能なホームページ情報生成装置、ホームページ情報生成方法、およびこれらを利用したホームページ情報提供システムを提供する。【解決手段】自端末が設置されている店舗を識別するための店舗識別情報をデータベースサーバ２０に送信する入力情報送信部１２と、送信された店舗識別情報に対応してデータベースサーバ２０から送信された、当該店舗で扱う物件情報等を受信する店舗別物件情報受信部１３と、受信された店舗別物件情報等に基づいて、当該店舗固有のドメインでホームページ情報を作成してインターネット（登録商標）３０上に提供するホームページ情報生成部１４とを有する、複数の店舗毎にそれぞれ設置されたホームページ情報生成装置１０−１、１０−２と、複数の店舗で扱う物件情報等を一元管理するデータベースサーバ２０とが接続されたことを特徴とする。【選択図】  図２
2009251714.tif 000002
【特許請求の範囲】
【請求項１】
複数の店舗毎にそれぞれ設置されたホームページ情報生成装置と、前記複数の店舗で扱うデータを一元管理するデータベースサーバとが接続されたホームページ情報提供システムにおいて、
前記ホームページ情報生成装置は、それぞれ
入力された、自端末が設置されている店舗を識別するための店舗識別情報を前記データベースサーバに送信する入力情報送信部と、
前記入力情報送信部から送信された店舗識別情報に対応して前記データベースサーバから送信された、自端末が設置されている店舗で扱うデータである店舗別データを受信する店舗別データ受信部と、
前記店舗別データ受信部で受信された店舗別データに基づいて、自端末が設置されている店舗固有のドメインでホームページ情報を作成してコンピュータネットワーク上に提供するホームページ情報生成部と
を有し、
前記データベースサーバは、
前記複数の店舗で扱うデータを登録するデータベース登録部と、
前記ホームページ情報生成装置の入力情報送信部から送信された店舗識別情報に対応する店舗で扱う前記店舗別データを、前記データベース登録部から取得して前記ホームページ情報生成装置に送信する制御部と、
を有する
ことを特徴とするホームページ情報提供システム。
【請求項２】
複数の店舗毎にそれぞれ設置されたホームページ情報生成装置と、前記複数の店舗で扱うデータを、店舗ごとに複数の部分データに分類して一元管理するデータベースサーバとが接続されたホームページ情報提供システムにおいて、
前記ホームページ情報生成装置は、それぞれ
入力された、自端末が設置されている店舗を識別するための店舗識別情報、およびこの店舗で扱うデータのうちの一の部分データを識別するための店舗内部分データ識別情報を前記データベースサーバに送信する入力情報送信部と、
前記入力情報送信部から送信された店舗識別情報および店舗内部分データ識別情報に対応して前記データベースサーバから送信された、自端末が設置されている店舗で扱うデータ内の対応する部分データである店舗別部分データを受信する店舗別部分データ受信部と、
前記店舗別部分データ受信部で受信された店舗別部分データに基づいて、当該店舗別部分データ固有のドメインでホームページ情報を作成してコンピュータネットワーク上に提供するホームページ情報生成部と、
を有し、
前記データベースサーバは、
前記複数の店舗で扱うデータを、店舗ごとに複数の部分データに分類して登録するデータベース登録部と、
前記ホームページ情報生成装置の入力情報送信部から送信された店舗識別情報および店舗内データ部分識別情報に対応する部分データである店舗別部分データを、前記データベース登録部から取得して前記ホームページ情報生成装置に送信する制御部と、
を有する
ことを特徴とするホームページ情報提供システム。
【請求項３】
複数の店舗で扱うデータを一元管理するデータベースサーバに接続され、前記複数の店舗毎にそれぞれ設置されたホームページ情報生成装置であって、
入力された、自端末が設置されている店舗を識別するための店舗識別情報を前記データベースサーバに送信する入力情報送信部と、
前記入力情報送信部から送信された店舗識別情報に対応して前記データベースサーバから送信された、自端末が設置されている店舗で扱うデータである店舗別データを受信する店舗別データ受信部と、
前記店舗別データ受信部で受信された店舗別データに基づいて、自端末が設置されている店舗固有のドメインでホームページ情報を作成してコンピュータネットワーク上に提供するホームページ情報生成部と、
を備えることを特徴とするホームページ情報生成装置。
【請求項４】
複数の店舗で扱うデータを一元管理するデータベースサーバに接続され、前記複数の店舗毎にそれぞれ設置されたホームページ情報生成装置であって、
入力された、自端末が設置されている店舗を識別するための店舗識別情報、およびこの店舗で扱うデータのうちの一の部分データを識別するための店舗内部分データ識別情報を前記データベースサーバに送信する入力情報送信部と、
前記入力情報送信部から送信された店舗識別情報および店舗内部分データ識別情報に対応して前記データベースサーバから送信された、自端末が設置されている店舗で扱うデータ内の対応する部分データである店舗別部分データを受信する店舗別部分データ受信部と、
前記店舗別部分データ受信部で受信された店舗別部分データに基づいて、当該店舗別部分データ固有のドメインでホームページ情報を作成してコンピュータネットワーク上に提供するホームページ情報生成部と、
を備えることを特徴とするホームページ情報生成装置。
【請求項５】
複数の店舗で扱うデータを一元管理するデータベースサーバに接続され、前記複数の店舗毎にそれぞれ設置されたホームページ情報生成装置が、
入力された、自端末が設置されている店舗を識別するための店舗識別情報を前記データベースサーバに送信し、
送信した店舗識別情報に対応して前記データベースサーバから送信された、自端末が設置されている店舗で扱うデータである店舗別データを受信し、
受信した店舗別データに基づいて、自端末が設置されている店舗固有のドメインでホームページ情報を作成してコンピュータネットワーク上に提供する
ことを特徴とするホームページ情報生成方法。
【請求項６】
複数の店舗で扱うデータを一元管理するデータベースサーバに接続され、前記複数の店舗毎にそれぞれ設置されたホームページ情報生成装置が、
入力された、自端末が設置されている店舗を識別するための店舗識別情報、およびこの店舗で扱うデータのうちの一の部分データを識別するための店舗内部分データ識別情報を前記データベースサーバに送信し、
送信した店舗識別情報および店舗内部分データ識別情報に対応して前記データベースサーバから送信された、自端末が設置されている店舗で扱うデータ内の対応する部分データである店舗別部分データを受信し、
受信した店舗別部分データに基づいて、当該店舗別部分データ固有のドメインでホームページ情報を作成してコンピュータネットワーク上に提供する
ことを特徴とするホームページ情報生成方法。
【発明の詳細な説明】
【技術分野】
【０００１】
本発明は、Ｗｅｂブラウザに表示するためのホームページ情報を生成するホームページ情報生成装置、ホームページ情報生成方法、およびこれらを利用したホームページ情報提供システムに関する。
【背景技術】
【０００２】
従来、パーソナルコンピュータや携帯端末などの情報通信機器において、搭載されたＷｅｂブラウザを利用してインターネット（登録商標）上に公開されているＷｅｂデータをホームページ情報として取得して表示することが多く行われている。
【０００３】
これらの情報通信機器において、Ｗｅｂブラウザを利用してＷｅｂデータを表示させるための技術が、特許文献１に記載されている。
【０００４】
特許文献１に記載の技術では、データベースにＷｅｂデータを蓄積しているサーバ側に、Ｗｅｂブラウザを搭載した情報通信機器としてのクライアント側から繰り返し要求される可能性のある画面のＷｅｂページファイルを格納しておき、この格納されたＷｅｂページファイルがクライアント側から要求されたときには、サーバ側は新たにＨＴＭＬページを生成せずに、格納されたＷｅｂページデータを読み出してホームページ情報としてクライアント側に提供している。
【０００５】
この特許文献１に記載の技術を用いることによって、クライアント側からのＷｅｂページ表示要求に対するサーバ側の応答時間を短縮することが可能になる。
【特許文献１】特開２００２−２８８０３３号
【発明の開示】
【発明が解決しようとする課題】
【０００６】
しかし、上記の特許文献１のような従来のＷｅｂページデータの提供方法では、サーバ側の一のデータベースに対して生成されるホームページ情報は一ドメインによるホームページ情報であり、一のデータベースからユーザのニーズごとに異なるドメインによるホームページ情報を提供したい場合に柔軟に対応できないという問題があった。
【０００７】
よって本発明の目的は、一のデータベースから複数のドメインによるホームページ情報を提供することが可能なホームページ情報生成装置、ホームページ情報生成方法、およびこれらを利用したホームページ情報提供システムを提供することである。
【課題を解決するための手段】
【０００８】
上記目的を達成するための本発明の請求項１に記載のホームページ情報提供システムは、複数の店舗毎にそれぞれ設置されたホームページ情報生成装置と、前記複数の店舗で扱うデータを一元管理するデータベースサーバとが接続され、前記ホームページ情報生成装置はそれぞれ、入力された、自端末が設置されている店舗を識別するための店舗識別情報を前記データベースサーバに送信する入力情報送信部と、前記入力情報送信部から送信された店舗識別情報に対応して前記データベースサーバから送信された、自端末が設置されている店舗で扱うデータである店舗別データを受信する店舗別データ受信部と、前記店舗別データ受信部で受信された店舗別データに基づいて、自端末が設置されている店舗固有のドメインでホームページ情報を作成してコンピュータネットワーク上に提供するホームページ情報生成部とを有し、前記データベースサーバは、前記複数の店舗で扱うデータを登録するデータベース登録部と、前記ホームページ情報生成装置の入力情報送信部から送信された店舗識別情報に対応する店舗で扱う前記店舗別データを、前記データベース登録部から取得して前記ホームページ情報生成装置に送信する制御部とを有することを特徴とする。
【０００９】
また、請求項２に記載のホームページ情報提供システムは、複数の店舗毎にそれぞれ設置されたホームページ情報生成装置と、前記複数の店舗で扱うデータを、店舗ごとに複数の部分データに分類して一元管理するデータベースサーバとが接続され、前記ホームページ情報生成装置はそれぞれ、入力された、自端末が設置されている店舗を識別するための店舗識別情報、およびこの店舗で扱うデータのうちの一の部分データを識別するための店舗内部分データ識別情報を前記データベースサーバに送信する入力情報送信部と、前記入力情報送信部から送信された店舗識別情報および店舗内部分データ識別情報に対応して前記データベースサーバから送信された、自端末が設置されている店舗で扱うデータ内の対応する部分データである店舗別部分データを受信する店舗別部分データ受信部と、前記店舗別部分データ受信部で受信された店舗別部分データに基づいて、当該店舗別部分データ固有のドメインでホームページ情報を作成してコンピュータネットワーク上に提供するホームページ情報生成部とを有し、前記データベースサーバは、前記複数の店舗で扱うデータを、店舗ごとに複数の部分データに分類して登録するデータベース登録部と、前記ホームページ情報生成装置の入力情報送信部から送信された店舗識別情報および店舗内データ部分識別情報に対応する部分データである店舗別部分データを、前記データベース登録部から取得して前記ホームページ情報生成装置に送信する制御部とを有することを特徴とする。
【００１０】
また、本発明の請求項３に記載のホームページ情報生成装置は、複数の店舗で扱うデータを一元管理するデータベースサーバに接続され、前記複数の店舗毎にそれぞれ設置され、入力された、自端末が設置されている店舗を識別するための店舗識別情報を前記データベースサーバに送信する入力情報送信部と、前記入力情報送信部から送信された店舗識別情報に対応して前記データベースサーバから送信された、自端末が設置されている店舗で扱うデータである店舗別データを受信する店舗別データ受信部と、前記店舗別データ受信部で受信された店舗別データに基づいて、自端末が設置されている店舗固有のドメインでホームページ情報を作成してコンピュータネットワーク上に提供するホームページ情報生成部と備えることを特徴とする。
【００１１】
また、本発明の請求項４に記載のホームページ情報生成装置は、複数の店舗で扱うデータを一元管理するデータベースサーバに接続され、前記複数の店舗毎にそれぞれ設置され、入力された、自端末が設置されている店舗を識別するための店舗識別情報、およびこの店舗で扱うデータのうちの一の部分データを識別するための店舗内部分データ識別情報を前記データベースサーバに送信する入力情報送信部と、前記入力情報送信部から送信された店舗識別情報および店舗内部分データ識別情報に対応して前記データベースサーバから送信された、自端末が設置されている店舗で扱うデータ内の対応する部分データである店舗別部分データを受信する店舗別部分データ受信部と、前記店舗別部分データ受信部で受信された店舗別部分データに基づいて、当該店舗別部分データ固有のドメインでホームページ情報を作成してコンピュータネットワーク上に提供するホームページ情報生成部とを備えることを特徴とする。
【００１２】
また、本発明の請求項５に記載のホームページ情報生成方法は、複数の店舗で扱うデータを一元管理するデータベースサーバに接続され、前記複数の店舗毎にそれぞれ設置されたホームページ情報生成装置が、入力された、自端末が設置されている店舗を識別するための店舗識別情報を前記データベースサーバに送信し、送信した店舗識別情報に対応して前記データベースサーバから送信された、自端末が設置されている店舗で扱うデータである店舗別データを受信し、受信した店舗別データに基づいて、自端末が設置されている店舗固有のドメインでホームページ情報を作成してコンピュータネットワーク上に提供することを特徴とする。
【００１３】
また、本発明の請求項６に記載のホームページ情報生成方法は、複数の店舗で扱うデータを一元管理するデータベースサーバに接続され、前記複数の店舗毎にそれぞれ設置されたホームページ情報生成装置が、入力された、自端末が設置されている店舗を識別するための店舗識別情報、およびこの店舗で扱うデータのうちの一の部分データを識別するための店舗内部分データ識別情報を前記データベースサーバに送信し、送信した店舗識別情報および店舗内部分データ識別情報に対応して前記データベースサーバから送信された、自端末が設置されている店舗で扱うデータ内の対応する部分データである店舗別部分データを受信し、受信した店舗別部分データに基づいて、当該店舗別部分データ固有のドメインでホームページ情報を作成してコンピュータネットワーク上に提供することを特徴とする。
【発明の効果】
【００１４】
よって本発明のホームページ情報生成装置、ホームページ情報生成方法、およびこれらを利用したホームページ情報提供システムによれば、一のデータベースから複数のドメインによるホームページ情報を提供することができる。
【発明を実施するための最良の形態】
【００１５】
本発明の好適な実施形態として、居住用建築物、店舗用建築物、建築用土地等の不動産に関する物件情報を提供するＷｅｂページで構成されたホームページ情報を提供するホームページ情報提供システムについて説明する。
【００１６】
《第１実施形態》
〈第１実施形態におけるホームページ情報提供システムの構成〉
本発明の第１実施形態におけるホームページ情報提供システムの構成について、図１を参照して説明する。
【００１７】
本実施形態におけるホームページ情報提供システム１は、自社の複数の不動産店舗Ａ、Ｂにそれぞれ設置されたホームページ情報生成装置としての店舗クライアント端末１０−１、１０−２と、データベースサーバ２０とが接続されることにより構成され、この複数の店舗クライアント端末１０−１、１０−２は、それぞれインターネット（登録商標）３０に接続されている。また、インターネット（登録商標）３０には、ホームページ閲覧者が利用する複数のパーソナルコンピュータ（ＰＣ）４０−１、４０−２、４０−３が接続されている。
【００１８】
店舗クライアント端末１０−１、１０−２およびデータベースサーバ２０の詳細な構成を、図２に示す。
【００１９】
店舗クライアント端末１０−１、１０−２には、それぞれ担当者操作入力部１１と、入力情報送信部１２と、店舗別データ受信部としての店舗別物件情報受信部１３と、ホームページ情報生成部１４とを有するアプリケーションが搭載されている。
【００２０】
担当者操作入力部１１は、各店舗クライアント端末１０−１、１０−２が設置された店舗に所属する担当者による操作内容を入力する。
【００２１】
入力情報送信部１２は、物件情報送信部１２１と、店舗識別情報送信部１２２と、店舗別物件情報要求送信部１２３とを有する。
【００２２】
物件情報送信部１２１は、担当者操作入力部１１により担当者から当該クライアント端末１０−１、１０−２が設置されている店舗Ａ、Ｂで扱うデータとして、不動産に関する物件情報、画像データ等が入力されると、これらの情報をデータベースサーバ２０に登録させるために送信する。
【００２３】
店舗識別情報送信部１２２は、担当者操作入力部１１により担当者から店舗識別情報としてのログイン名およびパスワードが入力されると、このログイン名およびパスワードをデータベースサーバ２０に送信する。
【００２４】
店舗別物件情報要求送信部１２３は、担当者操作入力部１１により担当者から当該端末が設置されている店舗の物件情報等を要求するための店舗別物件情報要求が入力されると、この店舗別物件情報要求をデータベースサーバ２０に送信する。
【００２５】
店舗別物件情報受信部１３は、店舗別物件情報要求送信部１２３から店舗別物件情報要求が送信されたことにより、データベースサーバ２０から送信された店舗別物件情報、画像データ、およびホームページを生成するためのホームページ生成フォーマット情報を受信する。
【００２６】
ホームページ情報生成部１４は、店舗別物件情報受信部１３で受信された店舗別物件情報、画像データ、およびホームページ生成フォーマット情報に基づいて、各店舗固有のドメインでホームページ情報を生成してインターネット（登録商標）３０上に公開する。
【００２７】
データベースサーバ２０は、制御部２１と、物件情報ＤＢ登録部２２とを有する。
【００２８】
制御部２１は、物件情報登録処理部２１１と、店舗特定部２１２と、店舗別物件情報取得部２１３と、店舗別物件情報送信部２１４とを有する。
【００２９】
物件情報登録処理部２１１は、店舗クライアント端末１０−１、１０−２の物件情報送信部１２１から送信された物件情報を受信し、物件情報ＤＢ登録部２２に送出する。
【００３０】
店舗特定部２１２は、店舗クライアント端末１０−１、１０−２の店舗識別情報送信部１２２から送信されたログイン名およびパスワードを受信し、このログイン名およびパスワードに対応する担当者が所属する店舗を特定する。
【００３１】
店舗別物件情報取得部２１３は、店舗クライアント端末１０−１、１０−２の店舗別物件情報要求送信部１２３から送信された店舗別物件情報要求を受信すると、店舗特定部２１２で特定された店舗の店舗別物件情報、画像データ、およびホームページ生成フォーマット情報を、物件情報ＤＢ登録部２２から抽出して取得する。
【００３２】
店舗別物件情報送信部２１４は、店舗別物件情報取得部２１３で取得された店舗別物件情報、画像データ、およびホームページ生成フォーマット情報を店舗クライアント端末１０−１、１０−２の店舗別物件情報受信部１３に送信する。
【００３３】
物件情報ＤＢ登録部２２は、物件情報登録処理部２１１で受信された複数の店舗の物件情報、画像データを取得し、一元管理するためのデータベース（ＤＢ）に登録する。
【００３４】
ＰＣ４０−１、４０−２、４０−３には、Ｗｅｂページを閲覧するためのＷｅｂブラウザが搭載されている。
【００３５】
〈第１実施形態におけるホームページ情報提供システムの動作〉
次に、本実施形態におけるホームページ情報提供システム１の動作について、図３のシーケンス図を参照して説明する。
【００３６】
本実施形態においては自社にＡ店舗とＢ店舗とを有し、予め、Ａ店舗の担当者の操作により店舗クライアント端末１０−１の担当者操作入力部１１から入力された店舗Ａで扱う居住用建築物、店舗用建築物、建築用土地等の不動産に関する複数の物件情報、およびＢ店舗の担当者の操作により店舗クライアント端末１０−２の担当者操作入力部１１から入力された店舗Ｂで扱う居住用建築物、店舗用建築物、建築用土地等の不動産に関する複数の物件情報が、入力情報送信部１２の物件情報送信部１２１からデータベースサーバ２０に送信され（Ｓ１）、データベースサーバ２０の制御部２１の物件情報登録処理部２１１の制御により物件情報ＤＢ登録部２２に登録されている（Ｓ２）ものとする。
【００３７】
このようにＡ店舗およびＢ店舗の物件情報がデータベースサーバ２０の物件情報ＤＢ登録部２２に登録されている状態で、店舗クライアント端末１０−１または１０−２に搭載されている当該アプリケーションを利用してホームページ情報作成処理が開始されると、図４に示すようなログイン名、パスワードを入力するためのログイン画面が店舗クライアント端末１０−１または１０−２が有する画面（図示せず）に表示される（Ｓ３）。
【００３８】
ここでは、店舗クライアント端末１０−１においてホームページ情報作成処理が実行された場合について説明する。
【００３９】
店舗クライアント端末１０−１において図４のログイン画面が表示されると、このログイン画面が利用されて担当者操作入力部１１からＡ店舗の担当者であることを示す店舗識別情報として、ログイン名およびパスワードが入力される。
【００４０】
担当者操作入力部１１においてログイン名およびパスワードが入力されると、このログイン名およびパスワードが入力情報送信部１２の店舗識別情報送信部１２２からデータベースサーバ２０に送信される（Ｓ４）。
【００４１】
店舗識別情報送信部１２２からログイン名およびパスワードが送信されると、データベースサーバ２０の制御部２１の店舗特定部２１２で受信される（Ｓ５）。
【００４２】
店舗特定部２１２は、予め図５に示すような店舗・担当者管理情報を有しており、これらの情報に基づいて、受信したログイン名およびパスワードに対応する担当者が所属する店舗が特定される（Ｓ６）。
【００４３】
図５（ａ）は、本システム接続されている店舗クライアント端末が設置されている店舗名を管理する店舗管理情報５１０がデータベースサーバ２０の画面（図示せず）に表示された状態を示し、図５（ｂ）は、店舗管理情報５１０で選択されている店舗の担当者情報５２０が表示されている状態を示す。この担当者ごとにログイン名およびパスワードが設定されている。
【００４４】
ここでは、受信したログイン名およびパスワードに対応する担当者が所属する店舗として、店舗Ａが特定される。
【００４５】
次に、担当者操作入力部１１により担当者から当該端末が設置されている店舗の物件情報を要求するためのアップロードボタンが押下されると（Ｓ７）、店舗別物件情報要求が、入力情報送信部１２の店舗別物件情報要求送信部１２３からデータベースサーバ２０に送信される（Ｓ８）。
【００４６】
店舗別物件情報要求が店舗別物件情報要求送信部１２３から送信されると、データベースサーバ２０の店舗別物件情報取得部２１３で受信され、店舗特定部２１２で特定された店舗の店舗別物件情報が物件情報ＤＢ登録部２２から抽出され取得される（Ｓ９）。ここでは、Ａ店舗の店舗別物件情報が物件情報ＤＢ登録部２２から抽出されて取得される。その際、必要な画像データおよびホームページを生成するためのホームページ生成フォーマット情報も併せて取得される。
【００４７】
店舗別物件情報取得部２１３で取得されたＡ店舗の店舗別物件情報、画像データ、およびホームページ生成フォーマット情報は、データベースサーバ２０の店舗別物件情報送信部２１４から店舗クライアント端末１０−１の店舗別物件情報受信部１３に送信されることにより、情報がコピーされる（Ｓ１０、Ｓ１１）。
【００４８】
図６（ａ）は、データベースサーバ２０の物件情報ＤＢ登録部２２に登録されているＡ店舗の店舗別物件情報、画像データ、およびホームページ生成フォーマット情報が格納されたフォルダを示すアイコンがデータベースサーバ２０の画面に表示された状態を示すものであり、図６（ｂ）は、店舗クライアント端末１０−１の店舗別物件情報受信部１３で受信されたことによりコピーされたＡ店舗の店舗別物件情報、画像データ、およびホームページ生成フォーマット情報が格納されたフォルダを示すアイコンが店舗クライアント端末１０−１の画面に表示された状態を示すものである。
【００４９】
店舗クライアント端末１０−１の店舗別物件情報受信部１３においてＡ店舗の店舗別物件情報、画像データ、およびホームページ生成フォーマット情報が受信されると、この店舗別物件情報をアップロードするためのアップロード画面７００が図７に示すように表示される（Ｓ１２）。
【００５０】
このアップロード画面７００が表示された状態で、アップロード画面７００上のＨＰ出力ボタン７１０が担当者により担当者操作入力部１１により押下されると（Ｓ１３）、店舗別物件情報受信部１３で受信された情報に基づいて、ホームページ情報生成部１４において各店舗固有のドメインでホームページ情報が生成され（Ｓ１４）、インターネット（登録商標）３０上に公開される（Ｓ１５）。
【００５１】
このようにして、Ａ店舗の店舗クライアント端末１０−１ではホームページ（ＨＰ）情報１００Ａが生成され、同様にＢ店舗の店舗クライアント端末１０−２ではＨＰ情報１００Ｂが生成される（図１参照）。
【００５２】
生成されたホームページ情報がインターネット（登録商標）３０を介してＰＣ４０−１〜４０−３に提供され、Ｗｅｂブラウザにより表示された状態の一例を、図８に示す。
【００５３】
図８は、Ａ店舗で扱う物件情報や画像データがホームページ生成フォーマットに従ってホームページ情報として生成され、表示された状態を示す。
【００５４】
以上の第１実施形態によるホームページ情報提供システム１によれば、自社の多店舗の情報をデータベースサーバ２０で一元管理することによりシステム構成が簡易になるとともに、この一元管理されている物件情報等から、店舗ごとに固有のドメインで各店舗特有の画面のホームページ情報を作成することができる。
【００５５】
例えば、本実施形態で説明したような不動産に関する情報では、各地域の支店ごとのホームページ情報を別ドメインで作成することができ、膨大な情報が統合されたホームページよりもユーザは所望の地域のホームページを検索し易くなり、ＳＥＯ（Search Engine Optimization）対策を図ることができ、ユーザからのアクセス件数を増加させることができる。
【００５６】
《第２実施形態》
本発明の第２実施形態におけるホームページ情報提供システム２は、データベースサーバ２０の物件情報ＤＢ登録部２２に登録する物件情報等を、店舗ごとに複数の部分データに分類して登録しておき、店舗クライアント端末１０−１、１０−２の店舗識別情報送信部１２２から当該店舗で扱う物件情報等が分類されたうちの一の部分データを識別する識別情報を送信することにより、データベースサーバ２０の制御部２１の店舗別物件情報取得部２１３において当該識別情報に対応する物件情報等を物件情報ＤＢ登録部２２から取得し、ホームページ情報生成部１４において取得した当該店舗の部分データに基づいてこの部分データ固有のドメインでホームページ情報を作成してインターネット（登録商標）３０上に公開する。
【００５７】
このようにホームページ情報を作成することにより第２実施形態によれば、図９に示すように、一の店舗（Ｂ店舗）において複数の異なるドメインのホームページ情報（ＨＰ情報１００ＢおよびＨＰ情報１００Ｃ）を作成することができる。
【００５８】
例えば、各地域の支店の中で駅ごとのホームページ情報を別ドメインで作成することができ、ユーザはさらに所望のホームページを検索し易くなり、ＳＥＯ対策を図ることができる。
【００５９】
また、上記の第１実施形態および第２実施形態において、各支店ごとまたは駅ごとのホームページを作成して互いにリンクを張ることで、ユーザは他の地域のホームページへのアクセスし易くすることができる。
【図面の簡単な説明】
【００６０】
【図１】本発明の第１実施形態によるホームページ情報生成システムの構成を示す全体図である。
【図２】本発明の第１実施形態によるホームページ情報生成システムの店舗クライアント端末およびデータベースサーバの詳細な構成を示すブロック図である。
【図３】本発明の第１実施形態によるホームページ情報生成システムの動作を示すシーケンス図である。
【図４】本発明の第１実施形態によるホームページ情報生成システムの店舗クライアント端末に表示されたログイン画面を示す画面構成図である。
【図５】本発明の第１実施形態によるホームページ情報生成システムのデータベースサーバに表示された店舗・担当管理情報を示す画面構成図である。
【図６】本発明の第１実施形態によるホームページ情報生成システムのデータベースサーバに格納されたフォルダを示すアイコンが表示された画面構成図（ａ）および、店舗クライアント端末にコピーされたフォルダを示すアイコンが表示された画面構成図（ｂ）である。
【図７】本発明の第１実施形態によるホームページ情報生成システムの店舗クライアント端末に表示されたアップロード画面を示す画面構成図である。
【図８】本発明の第１実施形態によるホームページ情報生成システムで生成されたホームページ情報が、ネットワークを介して接続されたパーソナルコンピュータで表示された状態を示す画面構成図である。
【図９】本発明の第２実施形態によるホームページ情報生成システムの構成を示す全体図である。
【符号の説明】
【００６１】
１…ホームページ情報提供システム
１０…店舗クライアント端末
１１…担当者操作入力部
１２…入力情報送信部
１３…店舗別物件情報受信部
１４…ホームページ情報生成部
２０…データベースサーバ
２１…制御部
２２…物件情報ＤＢ登録部
４０−１、４０−２、４０−３…パーソナルコンピュータ（ＰＣ）
１００Ａ、１００Ｂ、１００Ｃ…ホームページ（ＨＰ）情報
１２１…物件情報送信部
１２２…店舗識別情報送信部
１２３…店舗別物件情報要求送信部
２１１…物件情報登録処理部
２１２…店舗特定部
２１３…店舗別物件情報取得部
２１４…店舗別物件情報送信部
５１０…店舗管理情報
５２０…担当者情報
７００…アップロード画面
７１０…ＨＰ出力ボタン
【図１】
2009251714.tif 000003
【図２】
2009251714.tif 000004
【図３】
2009251714.tif 000005
【図４】
2009251714.tif 000006
【図５】
2009251714.tif 000007
【図６】
2009251714.tif 000008
【図７】
2009251714.tif 000009
【図８】
2009251714.tif 000010
【図９】
2009251714.tif 000011